(57)【要約】【課題】  従来の電気掃除機では、床やジュウタンの塵埃を吸引して除去することしか機能することができず、他の用途に使用することができるようにすることが望まれていた。【解決手段】  通常は掃除機本体の吸引ブラシ部で床やジュウタンの上の塵埃の吸引除去を行うことができとともに、超音波除去器１０のランジュバン型振動子１２のホーン１２ａをジュウタンのシミ抜きや風呂場のタイルの目地の汚れ落としに有効に使用することができ、又、この超音波除去器１０のランジュバン型振動子１２のホーン１２ａで落とした塵埃はケース１１の端部の吸引用の孔１１ａから電気掃除機で吸引除去することができる。【選択図】        図１
2005080822.tif 000002
【特許請求の範囲】
【請求項１】
掃除機本体に内蔵したモータを駆動して吸引部のファンを回転し、前記掃除機本体に装着するホースに接続されたスイッチ部に吸引ブラシ部を接続して、吸引ブラシ部から塵埃を吸引するようにした電気掃除機において、前記掃除機本体に発振器及び電源装置を装着し、前記掃除機本体の側部にホーン及び該ホーンの周囲に吸引孔を形成した超音波振動子からなる超音波除去器を装着部材により着脱自在に装着することを特徴とする電気掃除機。
【請求項２】
前記ホースに接続したスイッチ部から吸引ブラシ部を取り外し、前記スイッチ部に前記超音波除去器を装着することにより、前記超音波除去器に前記発振器に接続し、前記超音波除去器により汚れ除去をすることを特徴とする請求項１記載の電気掃除機。
【請求項３】
前記発振器に接続したコードを前記掃除機本体より引き出し、該コードを前記超音波除去器に接続し、前記超音波除去器により汚れ除去をすることを特徴とする請求項１記載の電気掃除機。
【発明の詳細な説明】
【技術分野】
【０００１】
本発明は、掃除機本体に超音波除去器を装着して、シミや汚れを除去するようにした電気掃除機に関するものである。
【背景技術】
【０００２】
この種の電気掃除機としては、一般に、掃除機本体にホースの一旦を接続し、ホースの他端を吸引ブラシ部に接続し、この吸引ブラシ部に吸引装置を接続し、この吸引装置をモータの駆動により回転し、吸引ブラシ部を床やジュウタンの上に接触させながら移動することにより、床やジュウタンの上の塵埃を吸引して掃除するようにしている。
【０００３】
しかしながら、この電気掃除機では、床やジュウタンの塵埃を吸引して除去することしか機能することができず、他の用途に使用することができるようにすることが望まれていた。
【発明の開示】
【発明が解決しようとする課題】
【０００４】
解決しようとする問題点は、電気掃除機を床やジュウタンの上の塵埃の除去だけでなく、ジュウタンのシミ抜きや風呂場の目地汚れの除去又はシール剥しなどに使用できるようにする点である。
【課題を解決するための手段】
【０００５】
本発明は、掃除機本体に発振器及び電源装置を装着し、掃除機本体に側面に超音波振動子のホーンの周囲に吸引孔を形成した超音波除去器を装着し、この超音波除去器を掃除機本体に接続したホースに装着することにより、ホースに接続された発振器に超音波除去器を接続して、超音波除去器でジュウタンのシミ抜きや風呂場の目地汚れを除去しながら除去された塵埃を吸引し、又、シールの剥しをすることができ、さらに、掃除機本体に内蔵したコードを引き出して超音波除去器に接続することにより、超音波除去器でジュウタンのシミ抜きや風呂場の目地汚れ行い、又、シールの剥しをすることができる。
【発明の効果】
【０００６】
本発明の電気掃除機は、通常は吸引ブラシ部で床やジュウタンの上の塵埃の吸引除去を行うことができとともに、掃除機本体に装着された超音波除去器でジュウタンのシミ又は風呂場のタイルの目地汚れを除去し、又、ステッカーの剥し等を行うことができるという利点がある。
【発明を実施するための最良の形態】
【０００７】
図１は本発明の電気掃除機の斜視図、図２は図１の超音波除去器の斜視図で、掃除機本体１にホース２が接続され、ホース２の端部にスイッチ部３が接続され、スイッチ部３に吸引ブラシ部４が接続され、又、ホース２は掃除機本体１の内部に装着したモータでファンが回転することにより吸引する吸引部（図示せず）に接続され、又、掃除機本体１に商用電源に接続するコード５及びプラグ６が接続され、さらに、掃除機本体１に発振器７及び発振器７に電力を供給する電源装置８が装着され、又、掃除機本体１の側部に留め金９で図２で示す超音波除去器１０が装着され、この超音波除去器１０はケース１１の内部にランジュバン型振動子１２が装着され、ランジュバン型振動子１２の先端のホーン１２ａがケース１１の一端から突出され、ホーン１２ａが突出されたケース１１の周囲に吸引用の孔１１ａが形成され、ケース１１の他端にスイッチ部３に接続されコネクタ部１１ｂとコード１３の端部のコネクタ１４が接続される端子部１１ｃが装着されている。
【０００８】
このように構成した本実施例の電気掃除機では、図３に示すように、超音波除去器１０をホース２のスイッチ部３に接続してスイッチ部３のスイッチを操作すると、発振器７から超音波除去器１０のランジュバン型振動子１２に発振出力が印加されることによってホーン１２ａから超音波振動が発生するので、この超音波除去器１０のランジュバン型振動子１２のホーン１２ａをジュウタンのシミ抜きや風呂場のタイルの目地の汚れ落としに有効に使用することができ、又、この超音波除去器１０のランジュバン型振動子１２のホーン１２ａで落とした塵埃はケース１１の端部の吸引用の孔１１ａから電気掃除機で吸引除去することができる。
【０００９】
又、図４に示すように、超音波除去器１０を掃除機本体１の後部から引き出したコード１３のコネクタ１４を超音波除去器１０のケース１１の端子部１１ｃに接続することにより、超音波除去器１０を持ってジュウタンのシミ抜きや風呂場のタイルの目地の汚れ落としに有効に使用することができ、又、ステッカー剥しにも利用することができる。
【産業上の利用可能性】
【００１０】
なお、上記実施例では、ランジュバン振動子１２のホーン１２ａでシミ抜きや目地の汚れを落とした時に、ケース１１の吸引用の孔１１ａより塵埃を除去するために、ケース１１より突出しているランジュバン型振動子１２のホーン１２ａの長さを短かくしたが、ケース１１より突出しているランジュバン型振動子１２のホーン１２ａの長さを長くして、ケース１１の吸引用の孔１１ａのある部分だけをケース１１に摺動するように装着し、ランジュバン型振動子１２のホーン１２ａでジュウタンのシミ抜きや風呂場のタイルの目地の汚れを落とした後に、ケース１１の吸引用の孔のある部分をランジュバン型振動子１２のホーン１２ａの先端部分まで摺動して塵埃を吸引するようにしてもよい。
【図面の簡単な説明】
【００１１】
【図１】図１は本発明の実施例の電気掃除機の斜視図である。
【図２】図２は図１の電気掃除機の超音波除去器の側面図である。
【図３】図３は本発明の電気掃除機の使用状態を説明するための図である。
【図４】図４は本発明の電気掃除機の他の使用状態を説明するための図である。
【符号の説明】
【００１２】
１          掃除機本体
２          ホース
３          スイッチ部
４          吸引ブラシ部
５          コード
６          プラグ
７          発振器
８          電源装置
９          留め金
１０        超音波除去器
１１        ケース
１２        ランジュバン型振動子
１３        コード
１４        コネクタ
【図１】
2005080822.tif 000003
【図２】
2005080822.tif 000004
【図３】
2005080822.tif 000005
【図４】
2005080822.tif 000006